(57)【要約】      （修正有）【課題】身体能力が低下した高齢者等であっても、入浴中に自ら意識して身体を支えなくても安定した姿勢を保つことができ、沈水を防止することができる入浴補助具を提供する。【解決手段】浴槽１００の相対する側壁間に跨って配置される入浴補助具１であって、浴槽の側壁間の間隔に応じて伸縮可能な身体支持部材２と、この身体支持部材の両端部に設けられ、浴槽のリム上面１０２に当接する上面当接部３ａと浴槽側壁内面に当接して身体支持部の伸縮方向への移動を規制する内面当接部３ｂとを有する保持部材３とを備えている。【選択図】図１
0003185459.tif 000002
【実用新案登録請求の範囲】
【請求項１】
浴槽の相対する側壁間に跨って配置される入浴補助具であって、
浴槽の前記側壁間の間隔に応じて伸縮可能な身体支持部材と、この身体支持部材の両端部に設けられ、浴槽のリム上面に当接する上面当接部と浴槽側壁内面に当接して身体支持部の長手方向への移動を規制する内面当接部とを有する保持部材とを備えていることを特徴とする入浴補助具。
【請求項２】
前記身体支持部材には、入浴者の上腕部を抱持する一対の腕バンドが前記保持部材の間に取り付けられていることを特徴とする請求項１に記載の入浴補助具。
【請求項３】
前記腕バンドは、前記身体支持部材に対して略直交方向に突設されたブラケットを介して取り付けられており、
前記ブラケットには、このブラケットが前記身体支持部材の長手方向に沿って摺動可能かつ前記身体支持部材の軸心周りに回転不能となるように前記身体支持部材を套嵌し前記身体支持部材の横断面形状と合致する取付孔が基端部に設けられ、他端部には前記腕バンドの腕通し部分を前記身体支持部材に面して開口するように取り付けるバンド取付孔が設けられていることを特徴とする請求項２に記載の入浴補助具。
【請求項４】
前記保持部材の上面当接部は、前記身体支持部材に対する前記ブラケットの突設方向と同じ側に略平行に延びる延設部を有し、この延設部の延設端から前記身体支持部材の軸心までの距離が、前記ブラケットのバンド取付孔から前記身体支持部材の軸心までの距離よりも大きいことを特徴とする請求項３に記載の入浴補助具。
【考案の詳細な説明】
【技術分野】
【０００１】
本考案は、高齢者や身体障害者等の浴槽内での不慮の沈水を防止する入浴補助具に関するものである。
【背景技術】
【０００２】
身体能力の低下した高齢者等は、浴槽内で身体を十分に支えることができない場合がある。そこで、入浴者の首に浮き体をはめて、顔が沈まないようにすることで浴槽内での沈水を防止する入浴補助具が提案されている（特許文献１参照）。
【先行技術文献】
【特許文献】
【０００３】
【特許文献１】実開平６−２３５３５号公報
【考案の概要】
【考案が解決しようとする課題】
【０００４】
しかし、特許文献１のような浮き輪タイプの入浴補助具では、顔が水面に浸ることを防止できるが、首を浮き体で保持しているだけで身体を支えるものではないため不安定である。
本考案は上記問題点を鑑み、入浴者が意識して自ら身体を支える必要がなく、浴槽内で安定して身体を支持することができる入浴補助具を提供することを目的とする。
【課題を解決するための手段】
【０００５】
本考案における課題解決のための具体的手段は、次の通りである。
第１に、この技術的課題を解決するための本考案の技術的手段は、浴槽の相対する側壁間に跨って配置される入浴補助具であって、浴槽の前記側壁間の間隔に応じて伸縮可能な身体支持部材と、この身体支持部材の両端部に設けられ、浴槽のリム上面に当接する上面当接部と浴槽側壁内面に当接して身体支持部の長手方向への移動を規制する内面当接部とを有する保持部材とを備えていることを特徴とする。
【０００６】
第２に、前記身体支持部材には、入浴者の上腕部を抱持する一対の腕バンドが前記保持部材の間に取り付けられていることを特徴とする。
第３に、前記腕バンドは、前記身体支持部材に対して略直交方向に突設されたブラケットを介して取り付けられており、前記ブラケットには、このブラケットが前記身体支持部材の長手方向に沿って摺動可能かつ前記身体支持部材の軸心周りに回転不能となるように前記身体支持部材を套嵌し前記身体支持部材の横断面形状と合致する取付孔が基端部に設けられ、他端部には前記腕バンドの腕通し部分を前記身体支持部材に面して開口するように取り付けるバンド取付孔が設けられていることを特徴とする。
【０００７】
第４に、前記保持部材の上面当接部は、前記身体支持部材に対する前記ブラケットの突設方向と同じ側に略平行に延びる延設部を有し、この延設部の延設端から前記身体支持部材の軸心までの距離が、前記ブラケットのバンド取付孔から前記身体支持部材の軸心までの距離よりも大きいことを特徴とする。
【考案の効果】
【０００８】
本考案によれば、身体能力が低下した高齢者等であっても、入浴中に自ら意識して身体を支えなくても安定した姿勢を保つことができ、沈水を防止することができる。
【図面の簡単な説明】
【０００９】
【図１】本考案に係る入浴補助具を浴槽の使用状態を示す斜視図である。
【図２】本考案に係る入浴補助具を浴槽へ設置した状態を示す正面図である。
【図３】本考案に係る入浴補助具を浴槽へ設置した状態を示す平面図である。
【図４】本考案に係る入浴補助具の一端部の拡大図であり、（ａ）は平面図、（ｂ）は正面図、（ｃ）は断面図である。なお、図４（ｃ）は図４（ａ）のＣ−Ｃ断面を示している。
【図５】本考案に係る入浴補助具で使用するブラケットを示し、（ａ）は側面図、（ｂ）は平面図である。
【図６】本考案に係る入浴補助具を曲線状側壁の浴槽に設置した状態を示す平面図である。
【図７】本考案に係る入浴補助具の変形例における一端部の拡大図であり、（ａ）は平面図、（ｂ）は断面図である。なお、図７（ｂ）は図７（ａ）のＢ−Ｂ断面を示している。
【考案を実施するための形態】
【００１０】
以下、本考案の実施の形態を図面に基づいて説明する。
なお、本明細書において、図１中に示すＸ方向を入浴補助具１及び浴槽１００の前後方向、Ｙ方向を入浴補助具１及び浴槽１００の左右方向という。
図１〜図３に示すように、入浴補助具１は、浴槽１００の相対する側壁１０１間の間隔に応じて伸縮可能な身体支持部材２と、この身体支持部材２の両端部に設けられ、浴槽１００のリム上面１０２に当接する上面当接部３ａと浴槽側壁内面１０３に当接して身体支持部２の伸縮方向への移動を規制する内面当接部３ｂとを有する保持部材３とを備えている。
身体支持部材２は、横断面多角形状（本実施形態では横断面四角形状）の中空棒状体であり、第１身体支持部材２ａと、その左右に出退自在に内挿される第２身体支持部材２ｂとにより左右方向（長手方向）に伸縮可能とされている。身体支持部材２の長さは、第１身体支持部材２ａの両端付近に設けられたネジ孔４ａに螺合される固定ネジ４ｂにより、第２身体支持部材２ｂの内挿部分を締め付け、身体支持部材２の伸縮長さ調整後の状態を固定維持できるようになっている。
身体支持部材２の両端、即ち、第２身体支持部材２ｂの各突端には、後述する保持部材３との連結部を構成する貫通孔２ｃが穿設されている。一方、第２身体支持部材２ｂの他端側の外周には、第１身体支持部材２ａに対する引出し量の限界を示すマーク５が設けられ、第２身体支持部材２ｂの引出し過ぎによる第２身体支持部材２ｂの抜けや身体支持部材２が十分な耐荷重を維持できない状態で使用されることを防止できるようになっている。
保持部材３は、浴槽１００のリム上面１０２に当接するための上面当接部３ａと、浴槽側壁内面１０３に当設するための内面当接部３ｂとを有する正面視で略Ｌ字形を呈し、図４（ａ）〜（ｃ）に示すように、上面当接部３ａと内面当接部３ｂの浴槽１００に当接する側には滑り止めのシート９が設けられている。
また、保持部材３の内面当接部３ｂには、身体支持部材２との連結部となる上連結片６Ａと下連結片６Ｂとが、上面当接部３ａとは反対側に向けて突設されている。上連結片６Ａと下連結片６Ｂとには、これらを上下に貫通する貫通孔６ａ，６ｂがそれぞれに穿設されており、上連結片６Ａの貫通孔６ａは円形で、下連結片６Ｂの貫通孔６ｂは長円形（左右方向に長い長孔）となっている。
而して、保持部材３の上連結片６Ａと下連結片６Ｂと間に身体支持部材２の端部が介挿され、保持部材３の上連結片６Ａの貫通孔６ａ、身体支持部材２の貫通孔２ｃおよび保持部材３の下連結片６ｂの貫通孔６ｂを串刺し状に貫通する抜け止め部材１０（ボルトナット）により、保持部材３と身体支持部材２とは枢支連結されている。
このような連結構造であるため、保持部材３は、図４（ａ）において矢印Ｂで示す方向に、抜け止め部材１０を中心として身体支持部材２に対して一定の角度で揺動可能となり、また、下連結片６Ｂの貫通孔６ｂが左右方向に長い長孔であるため、上連結片６Ａの貫通孔６ａを支点として図４（ｂ）において矢印Ｃで示す方向に揺動可能となっている。
【００１１】
本考案に係る入浴補助具１には、入浴者２００の上腕部２０１を抱持する左右一対の腕バンド７を取り付けることができる。
この腕バンド７は、図１〜図３に示すように、例えば、ナイロン製の平紐からなる帯状部材７ａと、その一端に取り付けられた公知のバンド留め具７ｂで構成され、帯状部材７ａの他端をバンド留め具７ｂに通すことにより、腕通し部分７１が形成される。腕バンド７は、帯状部材７ａを環状と成し、身体支持部材２に単に外嵌するだけでも良いが、本実施形態では、身体支持部材２に対して略直交方向に突設されたブラケット８を介して取り付けられている。
ブラケット８は、図５に示すように、身体支持部材２に対する取付孔８ａが設けられた基端部８Ａと、この基端部８Ａから延設された側面視平板状のアーム部８Ｂで構成されている。ブラケット８の基端部８Ａの取付孔８ａは、身体支持部材２（第２身体支持部材２ｂ）の横断面多角形と合致する横断面形状（四角形状）の貫通孔となっており、アーム部８Ｂには、腕バンド７を挿通取り付け可能なバンド取付孔８ｂが、基端部８Ａの取付孔８ａと同じ方向（左右方向）に貫通して設けられている。
図４に示すように、このブラケット８は、保持部材３の上面当接部３ａと略平行となるように套嵌されて身体支持部材２に対して左右一対取り付けられるが、取付孔８ａが第２身体支持部材２ｂの横断面多角形と合致する横断面形状なっているために身体支持部材２の軸心周りに回転不能であり、身体支持部材２の長手方向に沿って摺動可能となっている。
また、バンド取付孔８ｂは、左右方向に貫通しているので、これに挿通して取り付けられた腕バンド７は、その腕通し部分７１が図２に示すように、前後方向を向くことになる。
【００１２】
ところで、図４（ａ）等に示すように、保持部材３の上面当接部３ａは、身体支持部材２に対するブラケット８の突設方向と同じ側に略平行に延びる延設部３０を有する。この延設部３０は、その延設端３０ａから身体支持部材２の軸心までの距離Ｄが、ブラケット８のバンド取付孔８ｂの中心から身体支持部材２の軸心までの距離ｄよりも大きくなるように設定されている。
次に、入浴補助具１の使用方法を説明する。
【００１３】
図１に示すように、入浴補助具１は、浴槽１００の相対する側壁１０１間に跨るように配置する。具体的には、身体支持部材２の両端に設けられた各保持部材３の内面当接部３ｂを浴槽１００の側壁内面１０３に対面させ、上面当接部３ａをリム上面１０２に当接して載置する。
この際、側壁１０１間の間隔は、浴槽の種類により通常異なるが、身体支持部材２は、第１身体支持部材２ａと、その左右に出退自在に内挿される第２身体支持部材２ｂとにより左右方向に伸縮可能とされているので、側壁１０１間の間隔に対応させて長さ調整できる。ここで、身体支持部材２の長さは、各保持部材３の内面当接部３ｂが浴槽１００の側壁内面１０３との間に若干の隙間を残し、身体支持部材２が両側壁１０１の間で突っ張らない程度に長さ調整し、固定ネジ４ｂの締め付けにより設定した長さを維持固定する。
【００１４】
勿論、入浴補助具１は、各保持部材３の内面当接部３ｂを浴槽１００の側壁内面１０３に密着させて身体支持部材２を両側壁１０１の間で完全に突っ張る形で設置することも可能であるが、内面当接部３ｂと浴槽１００の側壁内面１０３との間に若干の隙間があれば、入浴補助具１を浴槽１００のリム上面１０２を前後方向に摺動させて位置変更することができるので、浴槽１００に対して入浴補助具１を完全に固定してしまうものに比べて、浴槽１００への出入に際して入浴補助具１が邪魔になることもない。
【００１５】
なお、この場合でも、入浴補助具１の左右方向（伸縮方向）への移動は、内面当接部３ｂが浴槽１００の側壁内面１０３に当接することで規制されるので、入浴補助具１が浴槽１００から脱落することはないし、保持部材３の浴槽１００に当接する側には、滑り防止シート９が存在するので、入浴者２００が意図しない入浴補助具１の移動は防止できる。
また、保持部材３は、抜け止め部材１０を中心として、身体支持部材２に対して所定角度揺動可能であるため、図６に示すような曲線状側壁の浴槽にも適応させることができるし、保持部材３の下連結片６Ｂの貫通孔６ｂが左右方向に長い長孔であるため、上連結片６Ａの貫通孔６ａを支点として揺動可能であるため、例えば、浴槽１００のリム上面１０２が水平でなく傾斜していても、入浴補助具１を安定して浴槽１００に設置することができる。
入浴者２００は、浴槽１００に入った後、上記のように配置された入浴補助具１を自分の胸元の前に引き寄せて使用する。即ち、入浴者は、浴槽１００の背凭れ側となる側壁と入浴補助具１との間に入る姿勢となり、左右の上腕部２０１を入浴補助具１の上に載せ、入浴補助具１を両脇で抱え込むようにすることで、入浴中の沈水を防止することができる。
【００１６】
また、本実施形態の入浴補助具１では左右一対の腕バンド７を備えているので、入浴者２００は、この腕バンド７に腕を挿通して上腕部２０１を抱持させることで、より確実に入浴中の沈水を防止することができる。なお、腕バンド７は、ブラケット８を介して身体支持部材２に取り付けられているが、各ブラケット８が第２身体保持２ｂの第１身体保持２ａからの突出した部分（第１身体保持２ａの両端と保持部材３との間の範囲）において、即ち、身体支持部材２の長手方向に摺動可能となっているので、左右の腕バンド７の相互間隔を入浴者２００の肩幅に合わせることができる。
また、ブラケット８は、入浴補助具１の浴槽１００への設置状態において、身体支持部材２から水平方向に突出した形となるが、これと同じ方向に保持部材３の上面当接部３ａの延設部３０が存在し、この延設端３０ａから身体支持部材２の軸心までの距離Ｄが、ブラケット８のバンド取付孔８ｂの中心から身体支持部材２の軸心までの距離ｄよりも大きくなるように形成されているので、腕バンド７に吊り下がる方向の力が加わっても、延設部３０が入浴補助具１を十分支えるため、入浴補助具１は浴槽１００のリム上面に対して転動することもない。
【００１７】
以上のように、本考案に係る入浴補助具１を用いれば、浴槽１００内で入浴者２００の身体が安定して支持されるため、身体能力の低下した高齢者等はもちろん健常者も安心して長湯を楽しむことができる。
図７（ａ）〜（ｂ）には、本考案に係る入浴補助具１の変形例が示されている。この変形例は、身体支持部材２が保持部材３の内面当接部３ｂに直接取り付けられられたものである。また、身体支持部材２が内面当接部３ｂの前後方向の中央に固定されているが、延設部３０の延設端３０ａから身体支持部材２の軸心までの距離Ｄが、ブラケット８のバンド取付孔８ｂの中心から身体支持部材２の軸心までの距離ｄよりも大きいくなるように形成されている。
【００１８】
本考案は、上記実施形態に制約されるものではなく、請求項に記載の範囲内で種々変更して実施することができる。
例えば、身体支持部材２は、ターンバックルのように両端に右ねじと左ねじのめねじを設けた第１身体支持部材２ａと、第２身体支持部材２ｂの左右一端にこれに対応したおねじを設け、第２身体支持部材２ｂをねじることにより伸縮機能を実現するような構成でもよい。
【００１９】
また、身体支持部材２は、第１身体支持部材２ａと第２身体支持部材２ｂをそれぞれ１本づつで構成しても良いし、横断面円形状の軸方向に延びる棒状体で形成しても良く、第１身体支持部材２ａが横断面円形状で、第２身体支持部材２ｂが横断面多角形状の軸方向に延びる棒状体で形成しても良い。
【符号の説明】
【００２０】
１      入浴補助具
２      身体支持部材
３      保持部材
３ａ    上面当接部
３ｂ    内面当接部
１００  浴槽
１０１  側壁
１０２  リム上面
１０３  浴槽側壁内面
【図１】
0003185459.tif 000003
【図２】
0003185459.tif 000004
【図３】
0003185459.tif 000005
【図４】
0003185459.tif 000006
【図５】
0003185459.tif 000007
【図６】
0003185459.tif 000008
【図７】
0003185459.tif 000009